(57)【要約】  光学シートの周縁部及び拡散板（５）の周縁部の間に配され、一端（４４）が該光学シートの一面と当接し、他端（４８）が拡散板（５）の一面（５１）と当接して、光学シート及び拡散板（５）を保持する保持部材（４）を備える表示装置において、保持部材（４）の他端（４８）に、拡散板（５）の一面（５１）に沿って突設され、拡散板（５）を保持する第１保持突起（４９）を設けることにより、拡散板（５）の収縮による脱落及び膨張による反りが発生することを未然に防止し、ひいては、かかる脱落又は反りによって拡散板（５）の位置がずれることを未然に防止する。
2017002166.tif 000002
【特許請求の範囲】
【請求項１】
光学シートの周縁部及び拡散板の周縁部の間に配され、一端が該光学シートの一面と当接し、他端が前記拡散板の一面と当接して、光学シート及び拡散板を保持する保持部材を備える表示装置において、  前記保持部材の前記他端には、前記拡散板の前記一面に沿って突設され、該拡散板を保持する第１保持突起を設けていることを特徴とする表示装置。
【請求項２】
前記拡散板の他面側の周縁部と当接する端部を有し、該拡散板を保持する保持フレームを備え、  前記保持フレームの前記端部には、前記拡散板の前記他面に沿って突設され、該拡散板を保持する第２保持突起を設けていることを特徴とする請求項１に記載の表示装置。
【請求項３】
前記第１保持突起及び前記第２保持突起は、前記拡散板の厚み方向にて、整合する位置に設けられていることを特徴とする請求項２に記載の表示装置。
【請求項４】
前記第１保持突起及び前記第２保持突起は、前記拡散板の厚み方向にて、整合しない位置に設けられていることを特徴とする請求項２に記載の表示装置。
【請求項５】
前記拡散板は矩形であり、  前記第１保持突起及び前記第２保持突起は、前記拡散板の縁に沿う方向を厚み方向とするフィン状であることを特徴とする請求項２から４の何れかに記載の表示装置。   
【発明の詳細な説明】
【技術分野】
【０００１】  本発明は、画像が表示される表示パネルと、光学シートの周縁部及び拡散板の周縁部の間に設けられた、一端が該光学シートの一面と当接し、他端が前記拡散板の一面と当接して、光学シート及び拡散板を保持する保持部材を備える表示装置に関する。
【背景技術】
【０００２】  近年、いわゆる薄型表示装置が広く普及しており、該薄型表示装置においては、表示画面外の額縁幅を小さくした狭額縁化について様々な工夫が行われている。【０００３】  例えば、特許文献１には、組み立ての効率性を高めた、光学シート及び拡散板の組み立て部品を備えた薄型表示装置が開示されている。
【先行技術文献】
【特許文献】
【０００４】
【特許文献１】米国特許第７２７５８５２号明細書
【発明の概要】
【発明が解決しようとする課題】
【０００５】  一方、前記薄型表示装置の狭額縁化に対する課題として、稼働時における光源の発熱により、又は、該表示装置の大型化に伴う拡散板の大型化により、斯かる拡散板の低温収縮による脱落防止及び、高温膨張による反りを吸収するための隙間を確保することが困難であった。しかしながら、特許文献１に係る表示装置においては、このような問題に対して工夫されていない。【０００６】  本発明は、斯かる事情に鑑みてなされたものであり、その目的とするところは、光学シートの周縁部及び拡散板の周縁部の間に配され、一端が該光学シートの一面と当接し、他端が前記拡散板の一面と当接して、光学シート及び拡散板を保持する保持部材を備える表示装置において、該拡散板の低温収縮による脱落防止及び、高温膨張による反りを抑制でき、ひいては、斯かる反りによって前記拡散板の位置がずれることを未然に防止できる表示装置を提供することにある。
【課題を解決するための手段】
【０００７】  本発明に係る表示装置は、光学シートの周縁部及び拡散板の周縁部の間に配され、一端が該光学シートの一面と当接し、他端が前記拡散板の一面と当接して、光学シート及び拡散板を保持する保持部材を備える表示装置において、前記保持部材の前記他端には、前記拡散板の前記一面に沿って突設され、該拡散板を保持する第１保持突起を設けていることを特徴とする。【０００８】  本発明にあっては、前記保持部材の前記他端に、前記第１保持突起が、前記拡散板の前記一面に沿って突設され、該拡散板を保持するので、該拡散板の低温収縮による脱落を防止しつつ、高温膨張による反りを抑制でき、ひいては狭額縁化を達成できる。【０００９】  本発明に係る表示装置は、前記拡散板の他面側の周縁部と当接する端部を有し、該拡散板を保持する保持フレームを備え、前記保持フレームの前記端部には、前記拡散板の前記他面に沿って突設され、該拡散板を保持する第２保持突起を設けていることを特徴とする。【００１０】  本発明にあっては、前記保持フレームの前記端部に、前記第２保持突起が、前記拡散板の前記他面に沿って突設され、該拡散板を保持するので、該拡散板の低温収縮による脱落を防止しつつ、高温膨張による反りを抑制でき、狭額縁化を達成できる。【００１１】  本発明に係る表示装置は、前記第１保持突起及び前記第２保持突起は、前記拡散板の厚み方向にて、整合する位置に設けられていることを特徴とする。【００１２】  本発明にあっては、前記拡散板の厚み方向にて、前記第１保持突起及び前記第２保持突起は、整合する位置に設けられ、該拡散板の低温収縮による脱落を防止しつつ、高温膨張による反りを抑制できると共に、前記第１保持突起及び前記第２保持突起によって前記拡散板が挟持される。【００１３】  本発明に係る表示装置は、前記第１保持突起及び前記第２保持突起は、前記拡散板の厚み方向にて、整合しない位置に設けられていることを特徴とする。【００１４】  本発明にあっては、前記拡散板の厚み方向にて、前記第１保持突起及び前記第２保持突起は、整合しない位置に設けられ、該拡散板の低温収縮による脱落を防止しつつ、高温膨張による反りを抑制できると共に、前記第１保持突起及び前記第２保持突起によって前記拡散板が挟持される。【００１５】  本発明に係る表示装置は、前記拡散板は矩形であり、前記第１保持突起及び前記第２保持突起は、前記拡散板の縁に沿う方向を厚み方向とするフィン状であることを特徴とする。【００１６】  本発明にあっては、前記第１保持突起及び前記第２保持突起は、前記拡散板の縁に沿う方向を厚み方向とするフィン状をなし、前記拡散板を介して進行する光の妨げになることを防ぐ。
【発明の効果】
【００１７】  本発明によれば、前記拡散板の低温収縮による脱落を防止しつつ、高温膨張による反りを抑制でき、ひいては、斯かる反りによって前記拡散板の位置がずれることを未然に防止できる。
【図面の簡単な説明】
【００１８】
【図１】本発明の実施の形態１に係るテレビジョン受像機の外観を示す正面図である。
【図２】図１のＡ−Ｂ線による横断面図である。
【図３】実施の形態１に係るテレビジョン受像機における、保持部材、拡散板及び保持フレームの位置関係を示す説明図である。
【図４】実施の形態２に係るテレビジョン受像機の要部構成を示す部分的横断面図である。
【図５】実施の形態２に係るテレビジョン受像機における、保持部材、拡散板及び保持フレームの位置関係を示す説明図である。
【図６】実施の形態３に係るテレビジョン受像機の要部構成を示す部分的横断面図である。
【図７】実施の形態３に係るテレビジョン受像機における、保持部材、拡散板及び保持フレームの位置関係を示す説明図である。
【図８】実施の形態４に係るテレビジョン受像機における、保持部材、拡散板及び保持フレームの位置関係を示す説明図である。
【発明を実施するための形態】
【００１９】  以下に、本発明の実施の形態に係る表示装置を、いわゆる液晶表示パネルを備えるテレビジョン受像機に適用した場合を例として、図面に基づいて詳述する。
【００２０】（実施の形態１）  図１は本発明の実施の形態１に係るテレビジョン受像機の外観を示す正面図である。図中符号１００は、本実施の形態に係るテレビジョン受像機を示しており、本実施の形態に係るテレビジョン受像機１００は、例えば、７０型のテレビジョン受像機である。以下、説明の便宜上、図面視にて、テレビジョン受像機１００の左右方向を横方向、上下方向を縦方向という。また、テレビジョン受像機１００の表（後述する液晶表示パネル２の表側）及び裏の方向を厚み方向という。
【００２１】  図２は図１のＡ−Ｂ線による横断面図であり、図２は本実施の形態に係るテレビジョン受像機１００の要部構成を示す。本実施の形態に係るテレビジョン受像機１００は、図１に示したように、表側の一面に映像を表示する矩形の液晶表示パネル２を備えている。また、液晶表示パネル２の裏側には光学シート３と、拡散板５と、反射シート８とが斯かる順に設けられている。
【００２２】  拡散板５及び反射シート８は箱体形状のバックライトシャーシ９に収容されており、光学シート３の周縁側、及びバックライトシャーシ９の側壁側は全体として中空矩形をなすベゼル７によって取り囲まれている。ベゼル７は、複数部分の組み立てによる分割型であっても良く、一体型であっても良い。以下においては、説明の便宜上ベゼル７が一体型である場合を例として説明する。
【００２３】  光学シート３は液晶表示パネル２の他面と対向する表面を有しており、また、拡散板５は一面５１が光学シート３の裏面（一面）３１と対向するように配置され、更に反射シート８は一面が拡散板５の他面５２と対向するように配置されている。
【００２４】  液晶表示パネル２より表側には、テレビジョン受像機１００の厚み方向におけるベゼル７の一端部が配置されている。すなわちベゼル７は、ユーザによって視認される液晶表示パネル２の前記一面の形状に倣う矩形の底を有しており、ベゼル７の該底には矩形の表示窓７１が開口している。ユーザは表示窓７１を介して液晶表示パネル２の前記一面に表示される画像を視認することができる。
【００２５】  更に、ベゼル７の前記底の縁から表示窓７１の縁までは所定の幅を有している。換言すれば、ベゼル７の前記底であって、表示窓７１を除く剰余部分は中空矩形の額縁部７２を形成している。液晶表示パネル２は、前記一面の周縁部がベゼル７の額縁部７２によって覆われている。
【００２６】  また、液晶表示パネル２は前記他面に偏光板（図示せず）を設けており、該偏光板を用いて入射される光をＰ波（水平偏光成分）とＳ波（垂直偏光成分）に分離し、Ｐ波だけが前記一面に向けて出て行き、Ｓ波は該偏光板に吸収されるように構成されている。液晶表示パネル２は、例えば電気泳動液晶パネルであっても良い。
【００２７】  液晶表示パネル２の前記他面側に設けられた光学シート３は、後述する光源から発せられ、拡散板５を介して入射される光に対して拡散、集光等を行ない、より均一な光を液晶表示パネル２に向けて出射させる、公知のものである。例えば、光学シート３は、重ね合わせた３枚の単位シートを有する。
【００２８】  より詳しくは、光学シート３は２枚の拡散シートと、１枚のプリズムシートとを有しており、前記プリズムシートは前記２枚の拡散シートの間に介在している。前記拡散シート及び前記プリズムシートは同じ矩形であり、同一の大きさを有している。
【００２９】  前記２枚の拡散シートのうち拡散板５側に配置された一の拡散シートは、拡散板５を介して前記光源から入射される光を拡散させて前記プリズムシートに入射させる光学シートである。また、前記プリズムシートは、前記一の拡散シートを介して入射される光を集光して他の拡散シートに向けて出射させる光学シートである。前記プリズムシートを通過した光は、前記プリズムシートに対して垂直に前記他の拡散シートへ入射される。
【００３０】  液晶表示パネル２側に配置された前記他の拡散シートは、前記プリズムシートを介して入射される光を更に拡散させてより均一な輝度分布にして液晶表示パネル２の前記他面に向けて出射させる光学シートである。
【００３１】  光学シート３の裏面３１の側であって、裏面３１の周縁部付近には光学シート３を保持する保持部材４が設けられている。より詳しくは、保持部材４は、光学シート３の周縁部及び拡散板５の周縁部の間に配置され、拡散板５の一面５１と鈍角をなす一面４７を有する傾斜面４１と、傾斜面４１の他面から光学シート３に対して垂直に突設された垂直板部４２とを有している。
【００３２】  保持部材４は光学シート３側の一端４４が、光学シート３の裏面３１の周縁部と当接しており、これによって光学シート３が保持部材４に保持されている。一方、保持部材４は、拡散板５側の他端４８の平坦な先端面４５が拡散板５の一面５１の周縁部と当接している。これによって、光学シート３及び拡散板５の間は一定間隔が維持されている。また、保持部材４及び後述の保持フレーム６によって拡散板５が保持される。なお、傾斜面４１及びその一面４７には、拡散板５の前記一面から出射された光を液晶表示パネル２側に反射する反射膜が形成されている。
【００３３】  更に、傾斜面４１の一面４７においては、他端４８に、拡散板５の一面５１に沿って第１保持突起４９が突設されている。換言すれば、第１保持突起４９は、他端４８の先端面４５から延設されており、拡散板５の一面５１と当接して拡散板５を保持している。
【００３４】  また、第１保持突起４９は、拡散板５の厚み方向における寸法が突出先に向かって小さくなるフィン状をなしており、矩形である拡散板５の縁に沿う方向を厚み方向とする。また、第１保持突起４９の厚みは突出先に向かって減少するように構成しても良く、一定であっても良い。従って、第１保持突起４９は、前記光源から拡散板５を介して光学シート３側に進行する光の妨げになること、換言すれば、第１保持突起４９に起因する暗部が発生することを極力抑えることが出来る。
【００３５】  傾斜面４１または一面４７の他面と、垂直板部４２との間は、特定の間隔が形成されており、該間隔は、後述するバックライトシャーシ９の側壁９１の厚みと略同じである。すなわち、バックライトシャーシ９の側壁９１が他端４８及び垂直板部４２の間に嵌められることにより、保持部材４はバックライトシャーシ９に保持される。
【００３６】  光学シート３の裏面３１側には矩形の拡散板５が配置されている。すなわち、拡散板５の一面５１は光学シート３の裏面３１と対向して配置されている。拡散板５は前記光源から出射され、その他面５２を介して入射される光を拡散させて一面５１から光学シート３に向けて出射させる。
【００３７】  拡散板５は、例えば、拡散剤が添加された乳白色の樹脂（アクリル樹脂、ポリカーボネート樹脂等）からなる。電源としてＬＥＤのような点光源を使用した場合、拡散板５は各点光源からの光を拡散させて均一に面発光として一面５１から出射させる。
【００３８】  拡散板５の他面５２の周縁部付近には、拡散板５を保持する保持フレーム６が設けられている。保持フレーム６は、横断面視において、先端６４が拡散板５に向けて縮幅するテーパ状を有しており、拡散板５に対して垂直である外側壁６２と、先端６４から途中部分まで拡散板５に対して斜めをなす傾斜部６１１を有する内側壁６１とを有している。
【００３９】  保持フレーム６は先端６４に平坦面６３を有しており、平坦面６３に拡散板５の他面５２の周縁部が当接する状態にて、保持フレーム６に保持されている。
【００４０】  すなわち、拡散板５は、周縁部が、一面５１側にて保持部材４の他端４８と、他面５２側にて保持フレーム６の先端６４とによって挟持されている。
【００４１】  保持フレーム６は、外側壁６２が、上述した箱体形状のバックライトシャーシ９の側壁９１の内側と当接するよう、バックライトシャーシ９の底９２上に配置されている。また、保持フレーム６の内側壁６１においては、拡散板５の他面５２に平行な方向に反射シート８を保持するシート保持突起９４が突設されている。シート保持突起９４は矩形の板状をなしており、バックライトシャーシ９の底９２側の端部に設けられている。また、内側壁６１は、内側の一面に、前記光源から出射された光を拡散板５側に反射する反射膜が形成されている。
【００４２】  反射シート８は、例えば、矩形であり、その一面が拡散板５の他面５２と対向するようにシート保持突起９４に保持されている。詳しくは、反射シート８は、他面における周縁部がシート保持突起９４と当接されて、拡散板５の他面５２と対向するように保持されている。これによって、拡散板５及び反射シート８の間は一定間隔が維持されている。
【００４３】  また、反射シート８の前記一面には、前記光源（図示せず）が設けられている。光源は、例えば、冷陰極蛍光ランプ（ＣＣＦＬ：Ｃｏｌｄ Ｃａｔｈｏｄｅ Ｆｌｕｏｒｅｓｃｅｎｔ Ｌａｍｐ）、外部電極蛍光ランプ（ＥＥＦＬ：Ｅｘｔｅｒｎａｌ Ｅｌｅｃｔｒｏｄｅ Ｆｌｕｏｒｅｓｃｅｎｔ Ｌａｍｐ）、熱陰極管（ＨＣＦＬ：Ｈｏｔ  Ｃａｔｈｏｄｅ  Ｆｌｕｏｒｅｓｃｅｎｔ  Ｌａｍｐ）又は発光ダイオード（ＬＥＤ：Ｌｉｇｈｔ Ｅｍｉｔｔｉｎｇ Ｄｉｏｄｅ）等である。
【００４４】  なお、ベゼル７は、液晶表示パネル２の周縁部、光学シート３の周縁部、保持部材４の一端４４、及びバックライトシャーシ９の側壁９１を取り囲むように、設けられている。
【００４５】  図３は、実施の形態１に係るテレビジョン受像機１００における、保持部材４、拡散板５及び保持フレーム６の位置関係を示す説明図である。
【００４６】  上述したように、保持部材４の他端４８の縁には、局所的に、第１保持突起４９が一面４７から突設されている。第１保持突起４９は、拡散板５に沿って突出され、拡散板５の一面５１と当接している。
【００４７】  これによって、実施の形態１に係るテレビジョン受像機１００においては、拡散板５の低温収縮による脱落及び、高温膨張による反り（図３中、矢印方向）を未然に防ぐことが出来る。以下、詳しく説明する。
【００４８】  テレビジョン受像機１００の稼働における、前記光源の発熱により、又は、テレビジョン受像機１００の大型化に伴う拡散板５の大型化により、拡散板５においてその厚み方向への反りが発生する。
【００４９】  しかし、実施の形態１に係るテレビジョン受像機１００においては、上述したように、第１保持突起４９を有しており、第１保持突起４９が拡散板５の一面５１と当接して拡散板５を保持するので、拡散板５が図３中の矢印方向に高温膨張によって反ること及び、稼働していない時に低温収縮によって脱落することが抑制される。従って、拡散板５において斯かる反り及び脱落が発生することを未然に防止できる。
【００５０】  また、第１保持突起４９は、保持部材４の他端４８の縁であって、他端４８の長さ方向の中央部に設けても良く、第１保持突起４９の位置は必要に応じて変更しても良い。
【００５１】  以上においては、第１保持突起４９が保持部材４の他端４８の縁にて１つ設けられている場合を例に挙げているが、本発明はこれに限るものではなく、２つ以上を設けても良い。また、第１保持突起４９が２つ以上である場合は、適宜間隔を挟んで設けることが出来る。
【００５２】（実施の形態２）  実施の形態１に係るテレビジョン受像機１００においては、保持部材４が第１保持突起４９を備える場合を例にあげて説明したが、本発明はこれに限るものでない。
【００５３】  図４は、実施の形態２に係るテレビジョン受像機１００の要部構成を示す部分的横断面図であり、図５は、実施の形態２に係るテレビジョン受像機１００における、保持部材４、拡散板５及び保持フレーム６の位置関係を示す説明図である。図５においては、説明の便宜上、拡散板５を破線にて示している。
【００５４】  実施の形態２に係るテレビジョン受像機１００においては、保持フレーム６が第２保持突起６５を有しており、第２保持突起６５によって拡散板５が保持されている。以下、詳しく説明する。
【００５５】  保持フレーム６の傾斜部６１１の内側には、傾斜部６１１に第２保持突起６５が設けられている。第２保持突起６５は、先端６４にて、拡散板５の他面５２に沿って突設されている。換言すれば、第２保持突起６５は、先端６４の平坦面６３から延設されており、拡散板５の他面５２と当接して拡散板５を保持している。
【００５６】  また、第２保持突起６５は、拡散板５の厚み方向における寸法が突出先に向かって大きくなるフィン状をなしており、矩形である拡散板５の縁に沿う方向を厚み方向とする。また、第２保持突起６５の厚みは突出先に向かって減少するように構成しても良く、一定であっても良い。従って、第２保持突起６５は、前記光源から拡散板５を介して光学シート３側に進行する光の妨げになること、換言すれば、第２保持突起６５に起因する暗部が発生することを極力抑えることが出来る。
【００５７】  これによって、実施の形態２に係るテレビジョン受像機１００においては、拡散板５の低温収縮による脱落及び、高温膨張による反り（図５中、矢印方向）を未然に防ぐことが出来る。以下、詳しく説明する。
【００５８】  テレビジョン受像機１００の稼働中の発熱により、又は、拡散板５の大型化により、拡散板５においてその厚み方向への反りが発生する。これに対して、実施の形態２に係るテレビジョン受像機１００においては、上述したように、第２保持突起６５を有しており、第２保持突起６５が拡散板５の他面５２と当接して拡散板５を保持するので、拡散板５が図５中の矢印方向に反ること及び、稼働していない時に低温収縮によって脱落することが抑制される。従って、拡散板５において斯かる反り及び脱落が発生することを未然に防止できる。
【００５９】  また、第２保持突起６５は、保持フレーム６の先端６４の縁であって、先端６４の長さ方向の中央部に設けても良く、第２保持突起６５の位置は必要に応じて変更しても良い。
【００６０】  以上においては、第２保持突起６５が保持フレーム６の先端６４の縁にて１つ設けられている場合を例に挙げているが、本発明はこれに限るものではなく、２つ以上を設けても良い。また、第２保持突起６５が２つ以上である場合は、適宜間隔を挟んで設けることが出来る。
【００６１】  実施の形態１と同様の部分については、同一の符号を付して詳細な説明を省略する。
【００６２】（実施の形態３）  実施の形態３に係るテレビジョン受像機１００は、実施の形態１に係るテレビジョン受像機１００と同様の構成を有しているが、保持部材４及び保持フレーム６の構成において相違する。
【００６３】  図６は、実施の形態３に係るテレビジョン受像機１００の要部構成を示す部分的横断面図であり、図７は、実施の形態３に係るテレビジョン受像機１００における、保持部材４、拡散板５及び保持フレーム６の位置関係を示す説明図である。図７においては、説明の便宜上、拡散板５を破線にて示している。
【００６４】  実施の形態３に係るテレビジョン受像機１００においては、実施の形態１と同様、保持部材４の他端４８の縁にて、第１保持突起４９が一面４７から局所的に突設されている。第１保持突起４９は、拡散板５に沿って突出され、拡散板５の一面５１と当接している。第１保持突起４９に対しては実施の形態１にて既に説明しており、詳しい説明を省略する。
【００６５】  また、実施の形態３に係るテレビジョン受像機１００においては、実施の形態２と同様、保持フレーム６の傾斜部６１１の内側であって、先端６４の縁に、第２保持突起６５が局所的に設けられている。第２保持突起６５は、拡散板５に沿って突出され、拡散板５の他面５２と当接している。第２保持突起６５に対しては実施の形態２にて既に説明しており、詳しい説明を省略する。
【００６６】  なお、第１保持突起４９及び第２保持突起６５は、図７に示しているように、拡散板５の厚み方向において、互いに整合する位置に設けられている。また、実施の形態３に係るテレビジョン受像機１００においては、このように、第１保持突起４９及び第２保持突起６５を共に備えており、拡散板５の周縁部が第１保持突起４９及び第２保持突起６５によって更に挟持される。
【００６７】  上述したように、拡散板５の低温収縮による脱落及び、高温膨張による反り（図７中、矢印方向）が発生する處がある。これに対して、第１保持突起４９が拡散板５の一面５１と当接して拡散板５を保持し、また、第２保持突起６５が拡散板５の他面５２と当接して拡散板５を保持するので、拡散板５が図７中の矢印方向に脱落又は反ることが抑制される。従って、拡散板５において斯かる脱落及び反りが発生することを未然に防ぐことが出来る。
【００６８】  また、第１保持突起４９は、保持部材４の他端４８の縁であって、他端４８の長さ方向の中央部に設けても良く、第２保持突起６５は、保持フレーム６の先端６４の縁であって、先端６４の長さ方向の中央部に設けても良い。また、これに限るものでなく、必要に応じて第１保持突起４９の位置及び第２保持突起６５の位置を変更しても良い。
【００６９】  更に、実施の形態３に係るテレビジョン受像機１００においては、上述したように、拡散板５の周縁部が第１保持突起４９及び第２保持突起６５によって挟持される構成を有することから、拡散板５の脱落防止を図ることが出来る。以下、詳しく説明する。
【００７０】  テレビジョン受像機１００の稼働、停止において、前記光源の点灯時の発熱、消灯時の温度降下により、拡散板５は膨張又は収縮を行う。このような膨張及び収縮が繰り返され、保持部材４の他端４８と、保持フレーム６の先端６４とによる挟持が緩んだ場合、又は、テレビジョン受像機１００の狭額縁化を図るため、拡散板５の周縁部において、他端４８及び先端６４による挟持面積を低減させた場合は、斯かる挟持が解除され、拡散板５が脱落又は位置ズレする問題が生じ得る。
【００７１】  これに対して、実施の形態３に係るテレビジョン受像機１００においては、拡散板５の周縁部が第１保持突起４９及び第２保持突起６５によって更に挟持されているので、前記問題が発生した場合でも、拡散板５の脱落及び位置ズレを未然に防止でき、ひいては、狭額縁化を達成できる。
【００７２】  以上においては、第１保持突起４９が保持部材４の他端４８の縁にて１つ設けられており、第２保持突起６５が保持フレーム６の先端６４の縁にて１つ設けられている場合を例に挙げているが、本発明はこれに限るものではなく、第１保持突起４９及び第２保持突起６５を夫々２つ以上を設けても良い。
【００７３】  実施の形態１と同様の部分については、同一の符号を付して詳細な説明を省略する。
【００７４】（実施の形態４）  実施の形態４に係るテレビジョン受像機１００は、実施の形態３に係るテレビジョン受像機１００と同様の構成を有しているが、保持部材４及び保持フレーム６の構成において相違する。
【００７５】  図８は、実施の形態４に係るテレビジョン受像機１００における、保持部材４、拡散板５及び保持フレーム６の位置関係を示す説明図である。図８においては、説明の便宜上、拡散板５を破線にて示している。
【００７６】  実施の形態４に係るテレビジョン受像機１００においては、実施の形態３と同様、保持部材４の他端４８の縁にて、第１保持突起４９が一面４７から局所的に突設され、拡散板５の一面５１と当接している。また、保持フレーム６の傾斜部６１１の内側であって、先端６４の縁に、第２保持突起６５が局所的に設けられ、拡散板５の他面５２と当接している。第１保持突起４９及び第２保持突起６５に対しては既に説明しており、詳しい説明を省略する。
【００７７】  なお、第１保持突起４９及び第２保持突起６５は、図８に示しているように、拡散板５の厚み方向において、互いに整合しない位置に設けられている。また、実施の形態４に係るテレビジョン受像機１００においては、このように、第１保持突起４９及び第２保持突起６５を共に備えており、拡散板５の周縁部が第１保持突起４９及び第２保持突起６５によって更に挟持される。
【００７８】  これによって、実施の形態４に係るテレビジョン受像機１００においては、拡散板５の低温収縮による脱落及び、高温膨張による反り（図８中、矢印方向）を未然に防ぐことが出来る。
【００７９】  すなわち、テレビジョン受像機１００においては、上述したように、拡散板５の低温収縮による脱落及び、高温膨張による反り（図８中、矢印方向）が発生する虞がある。これに対して、実施の形態４に係るテレビジョン受像機１００においては、第１保持突起４９が拡散板５の一面５１と当接して拡散板５を保持し、また、第２保持突起６５が拡散板５の他面５２と当接して拡散板５を保持するので、拡散板５が図８中の矢印方向に反ることが抑制される。従って、拡散板５において斯かる脱落及び反りが発生することを未然に防止できる。
【００８０】  また、第１保持突起４９は、保持部材４の他端４８の縁であって、他端４８の長さ方向の中央部に設けても良く、第２保持突起６５は、保持フレーム６の先端６４の縁であって、先端６４の長さ方向の中央部に設けても良い。また、これに限るものでなく、必要に応じて第１保持突起４９の位置及び第２保持突起６５の位置を変更しても良い。
【００８１】  更に、実施の形態４に係るテレビジョン受像機１００においては、上述したように、保持部材４の他端４８と、保持フレーム６の先端６４とによる挟持に加え、拡散板５の周縁部が第１保持突起４９及び第２保持突起６５によって更に挟持されている。従って、上述したように、保持部材４及び保持フレーム６による挟持の緩みが発生した場合、及び、保持部材４（他端４８）及び保持フレーム６（先端６４）による拡散板５の周縁部の挟持面積を低減させた場合でも、拡散板５の脱落及び位置ズレを未然に防止でき、ひいては、狭額縁化を達成できる。
【００８２】  以上においては、第１保持突起４９が保持部材４の他端４８の縁にて１つ設けられており、第２保持突起６５が保持フレーム６の先端６４の縁にて１つ設けられている場合を例に挙げているが、本発明はこれに限るものではなく、第１保持突起４９及び第２保持突起６５を夫々２つ以上を設けても良い。
【００８３】  実施の形態１と同様の部分については、同一の符号を付して詳細な説明を省略する。
【符号の説明】
【００８４】  ３  光学シート  ４  保持部材  ４１  傾斜面  ４８  他端  ４９  第１保持突起  ５  拡散板  ５１  一面  ５２  他面    ６  保持フレーム  ６４  先端（端部）  ６５  第２保持突起  １００  テレビジョン受像機 
【図１】
2017002166.tif 000003
【図２】
2017002166.tif 000004
【図３】
2017002166.tif 000005
【図４】
2017002166.tif 000006
【図５】
2017002166.tif 000007
【図６】
2017002166.tif 000008
【図７】
2017002166.tif 000009
【図８】
2017002166.tif 000010
【手続補正書】
【提出日】平成29年12月18日(2017.12.18)
【手続補正１】
【補正対象書類名】特許請求の範囲
【補正対象項目名】全文
【補正方法】変更
【補正の内容】
【特許請求の範囲】
【請求項１】
光学シートの周縁部及び拡散板の周縁部の間に配され、一端が該光学シートの一面と当接し、他端が前記拡散板の一面と当接して、光学シート及び拡散板を保持する保持部材を備える表示装置において、
前記保持部材の前記他端には、前記拡散板の前記一面に沿って突設され、該拡散板を保持する第１保持突起を設けていることを特徴とする表示装置。
【請求項２】
前記拡散板の他面側の周縁部と当接する端部を有し、該拡散板を保持する保持フレームを備え、
前記保持フレームの前記端部には、前記拡散板の前記他面に沿って突設され、該拡散板を保持する第２保持突起を設けていることを特徴とする請求項１に記載の表示装置。
【請求項３】
前記第１保持突起及び前記第２保持突起は、前記拡散板の厚み方向にて、整合する位置に設けられていることを特徴とする請求項２に記載の表示装置。
【請求項４】
前記第１保持突起及び前記第２保持突起は、前記拡散板の厚み方向にて、整合しない位置に設けられていることを特徴とする請求項２に記載の表示装置。
【請求項５】
前記拡散板は矩形であり、
前記第１保持突起及び前記第２保持突起は、前記拡散板の縁に沿う方向を厚み方向とするフィン状であることを特徴とする請求項２から４の何れかに記載の表示装置。
【請求項６】
光学シートの周縁部及び拡散板の周縁部の間に配され、一端が該光学シートの一面と当接し、他端が前記拡散板の一面と当接して、光学シート及び拡散板を保持する保持部材を備える表示装置において、
前記拡散板の他面側の周縁部と当接する端部を有し、該拡散板を保持する保持フレームをさらに備え、
前記保持フレームの前記端部には、前記拡散板の前記他面に沿って突設され、該拡散板を保持する第２保持突起を設けていることを特徴とする表示装置。
【請求項７】
前記拡散板は矩形であり、
前記第２保持突起は、前記拡散板の縁に沿う方向を厚み方向とするフィン状であることを特徴とする請求項６に記載の表示装置。
【手続補正２】
【補正対象書類名】明細書
【補正対象項目名】００３７
【補正方法】変更
【補正の内容】
【００３７】
拡散板５は、例えば、拡散剤が添加された乳白色の樹脂（アクリル樹脂、ポリカーボネート樹脂等）からなる。光源としてＬＥＤのような点光源を使用した場合、拡散板５は各点光源からの光を拡散させて均一に面発光として一面５１から出射させる。
【国際調査報告】
2017002166.tif 000011
2017002166.tif 000012
2017002166.tif 000013
2017002166.tif 000014